(57)【要約】【課題】押出しピンの周囲に冷却装置を備えたダイカスト装置を提供する。【解決手段】可動型２と固定型３との間で製品８を成形するダイカスト装置１である。そして、軽合金用のダイカスト装置１の可動型２、キャビティ２Ａに挿入され、金型２Ａ、金型２Ｂから製品８を押し出す押出しピン４と、押出しピン４と押出しピン挿入孔とのクリアランスＣから、金型２Ａ、金型２Ｂ内の空気を吸引する吸引手段１５と、前記押出しピン４の周囲に配置された冷却を行う冷却装置９とを備える。【選択図】図１
2016010807.tif 000002
【特許請求の範囲】
【請求項１】
可動型と固定型との間で製品を成形するダイカスト装置において、
軽合金用のダイカスト装置の金型と、
前記金型内に挿入され、前記金型から製品を押し出す押出しピンと、
前記押出しピンと押出しピン挿入孔とのクリアランスから、前記金型内の空気を吸引する吸引手段と、
前記押出しピンの周囲に配置された冷却を行う冷却装置とを備えたことを特徴とするダイカスト装置。
【請求項２】
前記冷却装置は一端を金型内に挿入した２重管構造であり、内周部を押出しピン挿入穴とし、外周部に冷却液を流すことを特徴とする請求項１に記載のダイカスト装置。
【請求項３】
前記金型は、キャビティと主型で形成され前記冷却装置は主型を貫通し、キャビティ内に挿入されており、キャビティと冷却装置間でシールがされていることを特徴とする請求項２に記載のダイカスト装置。
【発明の詳細な説明】
【技術分野】
【０００１】
本発明は、ダイカスト装置に係り、特に押出しピンの周囲に冷却装置を備えたダイカスト装置に関する。
【背景技術】
【０００２】
従来、樹脂成形では、金型の主型とキャビティの間に真空ユニットを設置し、押出しピンを介し真空吸引している。
【０００３】
また、特許文献１に示すように、真空ダイカスト装置では、可動型２の後部に押出しピン１４及び押出し部材１６を密封する押出しピンボックス２５を設け、押出しピンボックス２５を減圧することで押出しピン１４とピン挿通孔１４ｄとの隙間からキャビティ内を減圧している。
【先行技術文献】
【特許文献】
【０００４】
【特許文献１】特開２００４−１１４０９７号公報
【発明の概要】
【発明が解決しようとする課題】
【０００５】
溶湯の充填時に押出しピンは、溶湯に接しており、この押出しピンが加熱膨張することで真空吸引の経路であるクリアランスが小さくなる。このクリアランスの減少により型内の真空吸引が不十分となり製品の品質が低下する問題があった。
【０００６】
本発明は押出しピンを冷却することで、溶湯の熱による押出しピンの加熱膨張を抑制し、真空吸引の経路となるクリアランスを一定に保つことを目的とする。
【課題を解決するための手段】
【０００７】
請求項１に記載の発明は、可動型と固定型との間で製品を成形するダイカスト装置において、軽合金用のダイカスト装置の金型と、前記金型内に挿入され、前記金型から製品を押し出す押出しピンと、前記押出しピンと押出しピン挿入孔とのクリアランスから、前記金型内の空気を吸引する吸引手段と、前記押出しピンの周囲に配置された冷却を行う冷却装置とを備えたことを特徴とする。
【０００８】
請求項２に係る発明は、前記冷却装置は一端を金型内に挿入した２重管構造であり、内周部を押出しピン挿入穴とし、外周部に冷却液を流すことを特徴とする。
【０００９】
請求項３に係る発明は、前記金型は、キャビティと主型で形成され前記冷却装置は主型を貫通し、キャビティ内に挿入されており、キャビティと冷却装置間でシールがされていることを特徴とする。
【発明の効果】
【００１０】
本発明によれば、真空吸引経路の通路断面積を安定化することで、金型内の真空吸引が安定してなされるという効果を奏する。
【図面の簡単な説明】
【００１１】
【図１】ダイガスト装置の概略を示す概略図である。
【図２】ダイカスト装置の冷却装置を説明する説明図である。
【図３】ダイカスト装置の冷却装置を説明する説明図である。
【図４】（ａ）、（ｂ）はダイカスト装置の動作を説明する説明図である。
【図５】（ａ）、（ｂ）はダイカスト装置の動作を説明する説明図である。
【図６】（ａ）、（ｂ）はダイカスト装置の動作を説明する説明図である。
【図７】（ａ）、（ｂ）はダイカスト装置の動作を説明する説明図である。
【図８】（ａ）、（ｂ）はダイカスト装置の動作を説明する説明図である。
【図９】（ａ）、（ｂ）はダイカスト装置の動作を説明する説明図である。
【発明を実施するための形態】
【００１２】
本発明の実施形態を、図面を参照し説明する。
【００１３】
図１を参照する。ダイカスト装置１の構造を示す。通常のダイカスト１の構造はよく知られたものであり、本例では特徴的な箇所をおもに説明する。
【００１４】
ダイカスト装置１は可動型２と固定型３を有する。そして、チップ７の移動により溶湯８（例えば、アルミニウム等の金属を溶かしたもの）を型（可動型２、固定型３）内の金型（キャビティ）２Ａ、金型２Ｂに囲まれた空間にランナー、ゲート部を介し充填する。
【００１５】
また、ダイカスト装置１は押出し板１２を備え、この押出し板１２には複数の押出しピン４が配置されている。これらの各押出しピン４は溶湯が凝固した製品８と凝固したランナーを可動型２から所定のタイミングで押し出すものである。そして、これらの各押出しピン４の周囲を包むように各冷却装置９が備えられている。
【００１６】
図２を参照する。前記各押出しピン４と各押出しピン４の挿入孔とのクリアランスＣから、金型（キャビティ）２Ａ、金型２Ｂ内の空気を真空ポンプ経路６を介して吸引する吸引手段（マニホールド１３、真空ポンプ・タンク１４等）を備える。接続ブロック１１により真空ポンプ経路６と冷却水経路の配管を接続する。冷却装置９末端と接続ブロック１１間に設置されたＯリング１１Ｂによりリーク防止を図っている。各押出しピン４と各接続ブロック１１間に真空グリス１１Ａを塗ることでリークを防止する。
【００１７】
図３を参照する。前記冷却装置９は一端を可動型（主型）２及び金型（キャビティ）２Ａ内に挿入した２重管構造であり、内周部を押出しピン４の挿入穴とし、外周部に冷却液を流す。
【００１８】
本例では、外周部に２重の螺旋の溝構造が形成されている。これにより一の入出口１０（図２参照）から冷却水を流入することで所定の端位置まで流れ、所定の端位置から流れが反転し他方の冷却水の入出口１０（図２参照）から冷却水が流出することで複数の押出しピン４等をむらなく冷やすことが可能となる。
【００１９】
また、可動型（主型）２に金型（キャビティ）２Ａを備え、前記冷却装置９は可動型（主型）２を貫通し、金型（キャビティ）２Ａ内に挿入されており、金型（キャビティ）２Ａと冷却装置９の間でシールがされている。これにより、冷却装置９の外周部から空気が侵入してくるのを防止できるという効果を奏する。また、可動型（主型）２と冷却装置９の外周部間及び可動型（主型）２とキャビティ２Ａ間のシールは不要となる。
【００２０】
冷却装置９を可動型（主型）２、金型（キャビティ）２Ａに挿入するだけであり構造が簡単であるという効果を奏する。
【００２１】
図４（ａ）、（ｂ）〜図９（ａ）、（ｂ）を参照し、ダイカスト装置１の動作を説明する。
【００２２】
図４（ａ）、（ｂ）を参照する。図４（ｂ）は図４（ａ）の一部を拡大した拡大図である。初めに固定型２と可動型３との型締めを行う。そして、金型（キャビティ）２Ａ、金型２Ｂ内の空気を減らすため、吸引手段（真空ポンプ・タンク１４等）が押出しピン４と挿入穴のクリアランスＣ及び真空ポンプ経路６を介し、真空吸引を行っている。
【００２３】
すなわち、押出しピン４と金型（キャビティ）２Ａ、冷却装置９の間（押出しピン挿入孔）はクリアランスＣ（図３参照）を有する。このクリアランスＣを吸引経路として真空吸引を行っている。
【００２４】
図５（ａ）、（ｂ）を参照する。図５（ｂ）は図５（ａ）の一部を拡大した拡大図である。チップ７の移動により溶湯８が金型（キャビティ）２Ａ、金型２Ｂ内に充填される。すなわち、金型（キャビティ）２Ａ、金型２Ｂ内の真空吸引が完了すると共に、溶湯８が金型（キャビティ）２Ａ、金型２Ｂ内に充填される。
【００２５】
図６（ａ）、（ｂ）を参照する。図６（ｂ）は図６（ａ）の一部を拡大した拡大図である。溶湯８が凝固する。溶湯８が凝固する際、溶湯８の熱が金型（キャビティ）２Ａ、金型２Ｂと押出しピン４に移動する（図６（ｂ）の熱移動方向の矢印参照）。このとき、押出しピン４が熱膨張し、クリアランスＣが小さくなる。このため、適正な真空吸引が出来なくなる。これを防ぐため以下の処理を施す。
【００２６】
図７（ａ）、（ｂ）を参照する。図７（ｂ）は図７（ａ）の一部を拡大した拡大図である。溶湯８が冷却する。そうすると、アルミ凝固する際の熱を押出しピン４に設置した冷却装置９が吸収し（図７（ｂ）の熱移動方向の矢印参照）、クリアランスＣが充填前の適正なクリアランスＣに戻る。これにより、適正な真空吸引することが可能となる。
【００２７】
図８（ａ）、（ｂ）を参照する。図８（ｂ）は図８（ａ）の一部を拡大した拡大図である。金型（キャビティ）２Ａ、金型２Ｂの型開きを行う。金型（キャビティ）２Ａ、金型２Ｂが開き凝固した溶湯８（製品）が大気に開放される。
【００２８】
図９（ａ）、（ｂ）を参照する。図９（ｂ）は図９（ａ）の一部を拡大した拡大図である。凝固した溶湯８（製品）を押出し、凝固した溶湯８（製品）を取り出す。凝固した溶湯８（製品）が金型２Ａ、２Ｂから取り出されるとき、適正なクリアランスＣが有るので動作がスムーズになる。この後、離型剤が塗布されて初めの型締めの状態に戻る。
【００２９】
この発明は前述の発明の実施の形態に限定されることなく、適宜な変更を行うことにより、その他の態様で実施し得るものである。
【符号の説明】
【００３０】
１  ダイカスト装置
２  可動型（主型）
２Ａ  金型（キャビティ）
２Ｂ  金型
３  固定型
４  押出しピン
６  真空ポンプ経路
７  チップ
８  溶湯（製品）
９  冷却装置
１０  冷却経路
１１  接続ブロック
１１Ａ  真空グリス
１１Ｂ  Ｏリング
１２  押え板
１３  マニホールド
１４  吸引手段（真空ポンプ・タンク）
【図１】
2016010807.tif 000003
【図２】
2016010807.tif 000004
【図３】
2016010807.tif 000005
【図４】
2016010807.tif 000006
【図５】
2016010807.tif 000007
【図６】
2016010807.tif 000008
【図７】
2016010807.tif 000009
【図８】
2016010807.tif 000010
【図９】
2016010807.tif 000011